(57)【要約】    【課題】  通行規制テープは、立入禁止ないし侵入禁止の区域を仕切る現場で、所要の長さに切断道具を用いずに人の手で切断可能にする。    【解決手段】  立入禁止ないし侵入禁止の区域を仕切る通行規制用テープにおいて、テープ１は、素材を合成樹脂にし、合成樹脂テープ１の縁部に、裂け、割れ、凹みのような強度低下点６を設けた。強度低下点６は、テープ１の長さ方向に、多数とし、間を置いて配列した。テープ１は、強度低下点６の両側部分を両手の指で摘んで強度低下点６から切断する構成にした。【選択図】  図１
0003133085.tif 000002
【実用新案登録請求の範囲】
【請求項１】
立入禁止ないし侵入禁止の区域を仕切る通行規制テープにおいて、
テープは、素材を合成樹脂にし、
テープの縁部には、裂け、割れ、凹みのような強度低下点を設け、
強度低下点は、テープの長さ方向に、多数とし、間を置いて配列し、
テープは、強度低下点の両側部分を両手の指で摘んで強度低下点から切断する構成にしたことを特徴とする通行規制テープ。
【請求項２】
強度低下点は、テープの両側にそれぞれ設けたことを特徴とする請求項１に記載の通行規制テープ。
【考案の詳細な説明】
【技術分野】
【０００１】
本考案は、犯罪現場、火災現場、危険個所や非公開場所のような立入禁止ないし侵入禁止の区域を仕切る通行規制テープに関する。
【背景技術】
【０００２】
警察機関は、殺人のような事件が発生すると、犯罪の現場を保存するため、現場に関係者以外の人や車が立ち入るのを禁止する。現場に通ずる通路には、立入禁止テープを張って、立入禁止区域を仕切り、人や車の通行を規制する。
【０００３】
立入禁止テープは、長いテープであり、数十ｍの長さ分を巻き芯に巻いた状態で警察機関に保管している。事件が発生すると、警察機関は、巻き芯に巻いた立入禁止テープを現場に持参し、現場に通ずる通路に立入禁止テープを張り、所要の長さに切断する。現場に通ずる通路の幅、立入禁止テープを張る長さは、現場毎に異なり、立入禁止テープの所要の長さは、まちまちである。
【０００４】
消防機関が火災現場で使用する立入禁止テープも、同様である。消防機関は、巻き芯に巻いた立入禁止テープを現場に持参し、現場に通ずる通路に立入禁止テープを張り、所要の長さに切断する。立入禁止テープの所要の長さは、現場毎に異なり、まちまちである。
【０００５】
なお、ロープと表示シートからなるテープが特許文献１に、布地のテープが特許文献２に開示されている。
【０００６】
【特許文献１】登録実用新案第３０２８７２９号公報
【特許文献２】登録実用新案第３０６２３４９号公報
【考案の開示】
【考案が解決しようとする課題】
【０００７】
［背景技術の課題］
立入禁止テープのような通行規制テープは、人がいじったり車が少し押したりした程度で破断するのを防ぐため、引っ張りや捩りに対する機械的強度が要求される。また、屋外で使用されることが多いので、太陽光、雨や風に対する耐候性強度が要求される。その結果、通行規制テープは、強度が高く、現場で人が手で切断することが非常に困難である。そこで、通行規制テープは、鋏や小刀のような切断道具と一緒に現場に持参し、切断道具を用いて切断する。通行規制テープと一緒に切断道具を持ち運ぶ手間が掛かる。
【０００８】
［課題を解決するための着想］
通行規制テープは、素材ないし材料を合成樹脂にすることにした。そして、合成樹脂テープを横断方向に人の手で切断し易くすることを考察した。合成樹脂テープは、縁部に、硬い突起を押し付けて裂け、割れ、凹みのような、強度が低下した微小部分を形成し、強度低下点を設けることにした。このテープは、縁部の強度低下点の両側部分を人の両手の指で摘んで引き裂こうとすると、縁部の強度低下点から引き裂きが始まって切断される。現場で切断道具を用いずに切断することができる。切断道具を持ち運ぶ手間が掛からない。強度低下点は、単数又は複数とし、複数の強度低下点は、テープの横断方向に間を置いて配置することにした。
【０００９】
また、強度低下点は、テープの長さ方向には、多数とし、間を置いて配列することにした。このテープは、所要の長さになる位置の強度低下点又はその位置に近い位置の強度低下点から人の手で切断する。現場で所要の長さに切断道具を用いずに切断することができる。
【００１０】
更に、通行規制テープは、合成樹脂テープの材質と断面寸法及び強度低下点の形状寸法と配列間隔を選択して、要求強度を満たすことにした。
【００１１】
このような通行規制テープは、要求強度を満たし、かつ、現場で所要の長さに人の手で切断することができる。切断道具を持ち運ぶ手間を省くことができる。
【課題を解決するための手段】
【００１２】
１）立入禁止ないし侵入禁止の区域を仕切る通行規制テープにおいて、
テープは、素材を合成樹脂にし、
テープの縁部には、裂け、割れ、凹みのような強度低下点を設け、
強度低下点は、テープの長さ方向に、多数とし、間を置いて配列し、
テープは、強度低下点の両側部分を両手の指で摘んで強度低下点から切断する構成にしたことを特徴とする。
２）上記の通行規制テープにおいて、
強度低下点は、テープの両側の縁部にそれぞれ設けたことを特徴とする。
【考案の効果】
【００１３】
通行規制テープは、立入禁止ないし侵入禁止の区域を仕切る現場で、所要の長さに人の手で切断することができる。切断道具を持ち運ぶ手間を省くことができる。
【考案を実施するための最良の形態】
【００１４】
［第１例（図１〜図５参照）］
本例の通行規制テープは、県警や警察署のような警察機関が犯罪現場で使用する立入禁止テープである。
【００１５】
この立入禁止テープは、図１に示すように、長いテープ１であり、巻き芯２に巻き付けている。テープ１の表裏両面には、それぞれ、「立入禁止」「ＫＥＥＰ  ＯＵＴ」や「○○県警」「○○警察署」のような標識３を付けている。標識３は、テープ１の長さ方向に一定の間隔に配列している。
【００１６】
テープ１は、素材ないし材料を合成樹脂シートにしている。素材の合成樹脂は、ポリエチレンやポリプロピレンのようなポリオレフィンにしている。実施例では、ポリエチレンにしている。テープ１の寸法は、幅を５０〜１００ｍｍ位に、厚さを０．０５〜０．２ｍｍ位にしている。長さは、数十ｍにしている。
【００１７】
そして、テープ１は、図１〜図３に示すように、上下両側の縁部に、それぞれ、裂け、割れ、凹みのような強度低下点６を形成し、多数の強度低下点６を千鳥状に配置している。上下両側の縁部において、それぞれ、強度低下点６は、テープ１の横断方向には、単数又は複数とし、複数の強度低下点６は、テープ１の横断方向に一定の間隔に配列している。また、強度低下点６は、テープ１の長さ方向には、多数とし、一定の間隔に配列している。強度低下点６は、ほぼ菱形ないし細長の形状であり、長手方向をテープ１の横断方向に配置している。この強度低下点６は、長手方向の長さを０．１〜１ｍｍ位にし、テープ１の横断方向の配列間隔を０．２〜５ｍｍ位にし、テープ１の長さ方向の配列間隔を１〜１０ｍｍ位にしている。
【００１８】
この立入禁止テープ１は、所要の長さに切断するときには、所要の長さになる位置の強度低下点６又はその位置に近い位置の強度低下点６の左右両側部分を人の両手の指で摘み、左右の両手を前後にずらして、両手の間の強度低下点６から引き裂く。鋏や小刀のような切断道具を必要としない。
【００１９】
本例のテープ１を製造するときには、素材の広幅の合成樹脂シートＳを、スリッタに通して、複数の細長いテープ１に切断する。そのスリッタ通過時に、合成樹脂シートＳに強度低下点６を形成する。
【００２０】
スリッタは、図４と図５に示すように、上側ローラ１１と前側ローラ１２を並列して設けている。合成樹脂シートＳは、上側ローラ１１と前側ローラ１２を順次通過する。両ローラ１１、１２の中間位置には、広幅シートＳを複数の幅狭シート、テープ１に切断する刃物１３を設けている。刃物１３は、広幅シートＳの切断位置の上側に配置し、ローラ１１、１２の軸心方向にテープ１の幅と同一の間隔に配列している。上側ローラ１１の上側位置には、強度低下点形成用の加工工具として、多数の微小な突起の刃を外周面に突出した突起車１４を設けている。突起車１４は、その軸心をローラ１１、１２の軸心と並列している。この突起車１４は、広幅シートＳにおけるテープ１の縁になる位置の上側に配置し、ローラ１１、１２の軸心方向にテープ１の幅と同一の間隔に配列している。
【００２１】
広幅の合成樹脂シートＳは、上側ローラ１１と突起車１４の間を通過し、その通過時に回転中の突起車１４の突起の刃が押し付けられ、裂け、割れ又は凹みが生じて強度が低下した微小部分、強度低下点６が形成される。その後、合成樹脂シートＳは、刃物１３の下側と前側ローラ１２の前側を通過し、刃物位置通過時に刃物１３が押し付けられ、複数のテープ１に切断される。
【００２２】
［第２例（図６参照）］
本例の通行規制テープは、強度低下点６の配列パターンを、第１例における「千鳥状」に代えて、「碁盤の目状」にしている。その他の点は、第１例におけるのと同様である。
【００２３】
本例のテープ１は、図６に示すように、上下両側の縁部に、それぞれ、裂け、割れ、凹みのような強度低下点６を形成し、多数の強度低下点６を碁盤の目状に配置している。上下両側の縁部において、それぞれ、強度低下点６は、テープ１の横断方向には、複数とし、一定の間隔に配列している。また、強度低下点６は、テープ１の長さ方向には、多数とし、一定の間隔に配列している。
【００２４】
このテープ１の製造には、突起車１４の外周面の突起の配列パターンを、第１例における「千鳥状」に代えて、「碁盤の目状」にした突起車を使用する。
【００２５】
［第３例（図７参照）］
本例の通行規制テープは、テープ１の素材ないし材料を、第１例における「合成樹脂シートＳ」に代えて、「合成樹脂チューブ」にしている。その他の点は、第１例におけるのと同様である。
【００２６】
本例のテープ１は、図７に示すように、合成樹脂チューブを扁平に畳んで構成している。このテープ１は、２枚の合成樹脂シートを重ね合わせた構造になっている。素材の合成樹脂は、ポリエチレンやポリプロピレンのようなポリオレフィンにしている。実施例では、ポリエチレンにしている。テープ１の寸法は、幅を５０〜１００ｍｍ位に、厚さを０．０５〜０．２ｍｍ位にしている。
【００２７】
このテープ１は、第１例におけるのと同様に、上下両側の縁部に、それぞれ、裂け、割れ、凹みのような強度低下点６を形成し、多数の強度低下点６を千鳥状に配置している。合成樹脂チューブを扁平に畳んだテープ１に強度低下点６を形成するには、そのテープ１は、第１例におけるスリッタに通し、刃物１３を使用せず、突起車１４を使用して、両側の縁部に強度低下点６を形成する。
【００２８】
［変形例］
１）実施形態の第１例と第２例において、テープ１の素材ないし材料は、単層の合成樹脂フイルムのシートであるが、種類の異なる合成樹脂フイルム、例えばポリエチレンフイルムとポリプロピレンフイルム、を重ね合わせた積層の合成樹脂シートにする。
２）実施形態の第３例において、テープ１の素材ないし材料は、単層の合成樹脂フイルムのチューブであるが、種類の異なる合成樹脂フイルム、例えばポリエチレンフイルムとポリプロピレンフイルム、を重ね合わせた積層の合成樹脂シートのチューブにする。
３）実施形態の第１例〜第３例において、強度低下点６は、テープ１の上下両側に設けているが、テープ１の片側のみに設ける。
４）実施形態の第１例〜第３例において、通行規制テープ１は、警察機関が犯罪現場で使用する立入禁止テープであるが、消防機関が火災現場で使用する立入禁止テープにする。又は、屋外又は屋内の危険個所や非公開場所のような立入禁止ないし侵入禁止の区域を仕切るテープにする。
【図面の簡単な説明】
【００２９】
【図１】本考案の実施形態の第１例における通行規制テープの巻き芯に巻いた状態の斜視図。
【図２】同通行規制テープの中間省略部分拡大正面図。
【図３】図２のＡ−Ａ線断面中間省略拡大図。
【図４】同通行規制テープを製造するスリッタの概略側面図。
【図５】同スリッタの概略平面図。
【図６】実施形態の第２例における通行規制テープの中間省略部分正面図で、図２と同様な図。
【図７】実施形態の第３例における通行規制テープの断面を示す中間省略図で、図３と同様な図。
【符号の説明】
【００３０】
１  通行規制テープ、立入禁止テープ、テープ
２  テープの巻き芯
３  立入禁止などの標識
６  裂け、割れ、凹みのような強度低下点
Ｓ  広幅の合成樹脂シート、合成樹脂シート、広幅シート
１１  スリッタの上側ローラ
１２  スリッタの前側ローラ
１３  スリッタの刃物
１４  突起車、強度低下点形成用の加工工具
【図１】
0003133085.tif 000003
【図２】
0003133085.tif 000004
【図３】
0003133085.tif 000005
【図４】
0003133085.tif 000006
【図５】
0003133085.tif 000007
【図６】
0003133085.tif 000008
【図７】
0003133085.tif 000009